(57)【要約】【課題】浴槽内の湯温を容易に確認することができる風呂蓋及び該風呂蓋を備える浴槽監視システムを提供する。【解決手段】風呂蓋１０は、ゼーベック素子１１、ＬＥＤ１２、制御回路１３、温度センサ１４などを備える。ゼーベック素子１１は、電圧（電力）をＬＥＤ１２、制御回路１３などへ出力する。ＬＥＤ１２は、例えば、白色ＬＥＤチップを備え、ゼーベック素子１１からの電力により、風呂蓋１０の表面１０１から白色光を放出することができる。温度センサ１４は、風呂蓋１０の裏面１０２に設けてあり、浴槽を風呂蓋１０で蓋をした状態で、浴槽内の温度（湯温）を検出する。制御回路１３は、温度センサ１４で検出した温度に応じてＬＥＤ１２の発光状態を制御する。【選択図】図２
2012239828.tif 000002
【特許請求の範囲】
【請求項１】
蓋体を備える風呂蓋において、
前記蓋体の表面に設けられ、光源を有する発光部と、
該発光部へ電力を供給する電源部と
を備え、
前記発光部は、
温度に応じて発光するように構成してあることを特徴とする風呂蓋。
【請求項２】
前記蓋体の表面に設けられ、温度を検出する温度検出部と、
該温度検出部で検出した温度に応じて前記発光部の発光状態を制御する制御部と
を備えることを特徴とする請求項１に記載の風呂蓋。
【請求項３】
温度の設定値又は設定範囲を記憶する記憶部を備え、
前記制御部は、
前記温度検出部で検出した温度が前記設定値又は設定範囲内であるか否かに応じて前記発光部が異なる発光状態で発光すべく制御するように構成してあることを特徴とする請求項２に記載の風呂蓋。
【請求項４】
前記制御部は、
前記発光部の点灯、調光又は点滅を制御するように構成してあることを特徴とする請求項２又は請求項３に記載の風呂蓋。
【請求項５】
前記発光部は、
発光色の異なる光源を備え、
前記制御部は、
前記発光部の調色を制御するように構成してあることを特徴とする請求項２から請求項４までのいずれか１項に記載の風呂蓋。
【請求項６】
前記温度検出部を前記蓋体の裏面にさらに設けてあり、
前記制御部は、
各温度検出部で検出した温度差が所定値を超えた場合、その旨を通知すべく前記発光部の発光状態を制御するように構成してあることを特徴とする請求項２から請求項５までのいずれか１項に記載の風呂蓋。
【請求項７】
前記電源部は、
前記蓋体の表裏面それぞれに電極を有し、該蓋体の表裏面の温度差に応じて電力を供給するゼーベック素子を備えることを特徴とする請求項１から請求項６までのいずれか１項に記載の風呂蓋。
【請求項８】
前記電源部は、
前記蓋体の表裏面それぞれに電極を有し、該蓋体の表裏面の温度差に応じた電圧を出力するゼーベック素子を備え、
前記発光部は、
前記ゼーベック素子が出力する電圧の大小に応じて異なる発光状態で発光するように構成してあることを特徴とする請求項１に記載の風呂蓋。
【請求項９】
前記発光部は、
ＬＥＤを備えることを特徴とする請求項１から請求項８までのいずれか１項に記載の風呂蓋。
【請求項１０】
蓋体を備える風呂蓋と、該風呂蓋が用いられる浴槽の状態を報知する報知装置とを備える浴槽監視システムにおいて、
前記風呂蓋は、
温度を検出する温度検出部と、
該温度検出部で検出した温度に関する温度情報を前記報知装置へ送信する送信部と
を備え、
前記報知装置は、
前記温度情報を受信する受信部と、
該受信部で受信した温度情報に基づいて前記浴槽の状態を報知する報知部と
を備えることを特徴とする浴槽監視システム。
【請求項１１】
前記報知装置は、
光源を備え、
前記報知部は、
前記温度情報に基づいて前記光源の発光状態を制御する制御部を備えることを特徴とする請求項１０に記載の浴槽監視システム。
【請求項１２】
前記報知装置は、
文字又は画像を表示する表示部を備え、
前記報知部は、
前記温度情報を前記表示部に表示するように構成してあることを特徴とする請求項１０に記載の浴槽監視システム。
【請求項１３】
前記報知装置は、
音声出力部を備え、
前記報知部は、
前記温度情報に基づいて前記音声出力部から通知音又は警告音を出力するように構成してあることを特徴とする請求項１０に記載の浴槽監視システム。
【発明の詳細な説明】
【技術分野】
【０００１】
本発明は、浴槽に用いられる風呂蓋及び該風呂蓋を備える浴槽監視システムに関する。
【背景技術】
【０００２】
従来、浴槽内の湯加減をみるためには、風呂蓋をあけて浴槽に手を入れて確認する必要があった。このため、浴槽に手を入れなくても湯加減を確認することができる浴槽が検討されている。
【０００３】
例えば、基材を示温材とともに一体に金型成形し、表面に示温材を有する浴槽が開示されている（特許文献１参照）。
【先行技術文献】
【特許文献】
【０００４】
【特許文献１】特開平８−４８８号公報
【発明の概要】
【発明が解決しようとする課題】
【０００５】
しかしながら、特許文献１の浴槽にあっては、浴槽内に直接手を入れて湯加減をみる必要はないものの、示温材を用いているため、視認性がよくない。特に、浴室が暗い場合には、浴槽内の温度を確認することができない。
【０００６】
本発明は斯かる事情に鑑みてなされたものであり、浴槽内の湯温を容易に確認することができる風呂蓋及び該風呂蓋を備える浴槽監視システムを提供することを目的とする。
【課題を解決するための手段】
【０００７】
本発明に係る風呂蓋は、蓋体を備える風呂蓋において、前記蓋体の表面に設けられ、光源を有する発光部と、該発光部へ電力を供給する電源部とを備え、前記発光部は、温度に応じて発光するように構成してあることを特徴とする。
【０００８】
本発明にあっては、蓋体の表面に設けられ、光源を有する発光部と、発光部へ電力を供給する電源部とを備える。発光部は光源を備え、温度に応じて発光することができるので、視認性に優れ、浴室が暗い場合であっても浴槽内の湯温を容易に確認することができる。また、光源の発光により湯温を知らせることができるので、浴室に入らなくても、例えば、浴室のドアを通じて浴槽内の湯温を容易に確認することができる。
【０００９】
本発明に係る風呂蓋は、前記蓋体の表面に設けられ、温度を検出する温度検出部と、該温度検出部で検出した温度に応じて前記発光部の発光状態を制御する制御部とを備えることを特徴とする。
【００１０】
本発明にあっては、蓋体の表面に設けられ、温度を検出する温度検出部と、温度検出部で検出した温度に応じて発光部の発光状態を制御する制御部とを備える。温度検出部は、例えば、赤外線温度センサであり、浴槽に風呂蓋を置いた場合に、浴室側を表面、浴槽側を裏面とすると、風呂蓋の裏面（浴槽側の面）に設けることができる。これにより、浴槽内の湯温を検出することができる。制御部は、検出された湯温に応じて発光部の発光状態を制御する。例えば、発光部を連続点灯させるか点滅させるか、明るさを変化させる、あるいは発光色を変化させるなどを制御する。これにより、浴槽内の湯温又は湯温の変化を発光状態により正確に判別することができる。また、湯温を確認するために風呂蓋をあける必要もない。
【００１１】
本発明に係る風呂蓋は、温度の設定値又は設定範囲を記憶する記憶部を備え、前記制御部は、前記温度検出部で検出した温度が前記設定値又は設定範囲内であるか否かに応じて前記発光部が異なる発光状態で発光すべく制御するように構成してあることを特徴とする。
【００１２】
本発明にあっては、温度の設定値又は設定範囲を記憶する記憶部を備え、制御部は、検出した温度が設定値又は設定範囲内であるか否かに応じて発光部が異なる発光状態で発光すべく制御する。異なる発光状態とは、連続点灯又は点滅すること、調光すること、又は調色すること等である。設定値又は設定範囲は、適宜設定することができ、例えば、３８℃から４６℃の間の任意の温度又は温度範囲とすることができる。制御部は、例えば、検出した浴槽内の湯温が設定値又は設定範囲内であれば、発光部を点灯させ、検出した湯温が設定値又は設定範囲外であれば、発光部を点滅させる。これにより、浴槽内の湯温が上昇し過ぎたか、冷めすぎたかを容易に判別することができる。あるいは、制御部は、例えば、検出した浴槽内の湯温が設定値又は設定範囲内であれば、発光部を白色点灯させ、検出した湯温が設定値又は設定範囲を超えた場合、発光部を赤色点灯させ、検出した湯温が設定値又は設定範囲を下回った場合、発光部を青色点灯させる。これにより、浴槽内の湯温が上昇し過ぎたか、冷めすぎたかを容易に判別することができる。
【００１３】
本発明に係る風呂蓋は、前記制御部は、前記発光部の点灯、調光又は点滅を制御するように構成してあることを特徴とする。
【００１４】
本発明にあっては、制御部は、発光部の点灯、調光又は点滅を制御する。これにより、発光部の明るさ、あるいは点灯か点滅かで浴槽内の湯温又は湯温の変化を正確に判別することができる。
【００１５】
本発明に係る風呂蓋は、前記発光部は、発光色の異なる光源を備え、前記制御部は、前記発光部の調色を制御するように構成してあることを特徴とする。
【００１６】
本発明にあっては、発光部は、発光色の異なる光源を備え、制御部は、発光部の調色を制御する。これにより、発光部の発光色で浴槽内の湯温又は湯温の変化を正確に判別することができる。
【００１７】
本発明に係る風呂蓋は、前記温度検出部を前記蓋体の裏面にさらに設けてあり、前記制御部は、各温度検出部で検出した温度差が所定値を超えた場合、その旨を通知すべく前記発光部の発光状態を制御するように構成してあることを特徴とする。
【００１８】
本発明にあっては、蓋体の表裏面それぞれに温度検出部を設ける。例えば、風呂蓋の表側（浴室側）と裏側（浴槽側）の両面に赤外線温度センサを設け、浴槽内の湯温と浴室内の温度（浴室の雰囲気温度）とを検出して両者の温度を検出する。制御部は、各温度検出部で検出した温度差が所定値を超えた場合、その旨を通知すべく発光部の発光状態を制御する。温度差が所定値（例えば、１０℃）以内であれば、発光部を連続点灯させ、温度差が所定値を超えた場合には、発光部を点滅させて浴室内の温度と湯温との温度差が大きい旨の注意を喚起する。これにより、特に冬場などに浴室が寒い状態になっているときに、浴室に入ることで急激な温度変化により体が受ける影響（例えば、ヒートショック）の可能性を未然に通知してヒートショックの発生を防止することができる。
【００１９】
本発明に係る風呂蓋は、前記電源部は、前記蓋体の表裏面それぞれに電極を有し、該蓋体の表裏面の温度差に応じて電力を供給するゼーベック素子を備えることを特徴とする。
【００２０】
本発明にあっては、電源部は、蓋体の表裏面それぞれに電極を有し、蓋体の表裏面の温度差に応じて電力を供給するゼーベック素子を備える。すなわち、ゼーベック素子が検出する高温側を浴槽側、低温側を浴室側とすることにより、浴槽内の湯温を利用して発光部を発光させることができるので、乾電池又は二次電池が不要であり、また、外部からの電力供給も不要であり、風呂蓋単体で発光部の動作（発光）を実現することができる。
【００２１】
本発明に係る風呂蓋は、前記電源部は、前記蓋体の表裏面それぞれに電極を有し、該蓋体の表裏面の温度差に応じた電圧を出力するゼーベック素子を備え、前記発光部は、前記ゼーベック素子が出力する電圧の大小に応じて異なる発光状態で発光するように構成してあることを特徴とする。
【００２２】
本発明にあっては、電源部は、蓋体の表裏面それぞれに電極を有し、蓋体の表裏面の温度差に応じた電圧を出力するゼーベック素子を備える。すなわち、ゼーベック素子は、浴槽内の湯温と浴室内の温度（浴室の雰囲気温度）との温度差が大きいほど高い（大きい）電圧を出力する。発光部は、ゼーベック素子が出力する電圧の大小に応じて異なる発光状態で発光する。例えば、浴槽内の湯温と浴室内の温度（浴室の雰囲気温度）との温度差が小さい場合、すなわちゼーベック素子が出力する電圧が小さい（低い）場合、発光部を緑色点灯させ、浴槽内の湯温と浴室内の温度（浴室の雰囲気温度）との温度差が大きい場合、すなわちゼーベック素子が出力する電圧が大きい（高い）場合、発光部を赤色点灯させる（緑色は点灯させても消灯させてもよい）。これにより、特に冬場などに浴室が寒い状態になっているときに、浴室に入ることで急激な温度変化により体が受ける影響（例えば、ヒートショック）の可能性を未然に通知してヒートショックの発生を防止することができる。
【００２３】
本発明に係る風呂蓋は、前記発光部は、ＬＥＤを備えることを特徴とする。
【００２４】
本発明にあっては、発光部は、ＬＥＤを備える。これにより、低消費電力で高輝度の発光部を実現することができ、視認性を向上させることができる。また、ＬＥＤに流れる電流を制御するだけで、調光、調色などの発光状態の制御を容易に行うことができる。
【００２５】
本発明に係る浴槽監視システムは、蓋体を備える風呂蓋と、該風呂蓋が用いられる浴槽の状態を報知する報知装置とを備える浴槽監視システムにおいて、前記風呂蓋は、温度を検出する温度検出部と、該温度検出部で検出した温度に関する温度情報を前記報知装置へ送信する送信部とを備え、前記報知装置は、前記温度情報を受信する受信部と、該受信部で受信した温度情報に基づいて前記浴槽の状態を報知する報知部とを備えることを特徴とする。
【００２６】
本発明にあっては、蓋体を備える風呂蓋と、風呂蓋が用いられる浴槽の状態を報知する報知装置とを備え、風呂蓋は、温度を検出する温度検出部、及び温度検出部で検出した温度に関する温度情報を報知装置へ送信する送信部を備える。報知装置は、風呂蓋が送信した温度情報を受信する受信部、及び受信部で受信した温度情報に基づいて浴槽の状態を報知する報知部を備える。これにより、風呂蓋をあけることなく浴槽内の湯温又は湯温の変化を判別することができる。また、報知部を風呂蓋とは別の報知装置に備えるので、風呂蓋の消費電力を抑制することができる。
【００２７】
本発明に係る浴槽監視システムは、前記報知装置は、光源を備え、前記報知部は、前記温度情報に基づいて前記光源の発光状態を制御する制御部を備えることを特徴とする。
【００２８】
本発明にあっては、報知装置は、光源を備え、報知部は、温度情報に基づいて光源の発光状態を制御する制御部を備える。報知装置は、例えば、浴室に設置された照明装置である。温度情報に基づいて浴室内の照明の発光状態を変化させることにより、浴槽内の湯温又は湯温の変化を容易に確認することができる。また、光源の発光により湯温を知らせることができるので、浴室に入らなくても、例えば、浴室のドアを通じて浴槽内の湯温を容易に確認することができる。また、報知装置は、壁などに設置されたスイッチ（照明用の電源をオン／オフするスイッチなど）である。これにより、浴室の外にある照明用のスイッチを発光させることにより、浴室に入る前に浴槽内の湯温又は湯温の変化を確認することができる。
【００２９】
本発明に係る浴槽監視システムは、前記報知装置は、文字又は画像を表示する表示部を備え、前記報知部は、前記温度情報を前記表示部に表示するように構成してあることを特徴とする。
【００３０】
本発明にあっては、報知装置は、文字又は画像を表示する表示部を備え、報知部は、温度情報を表示部に表示する。これにより、例えば、リビングにあるモニタ（表示部）で浴室に入る前に浴槽内の湯温又は湯温の変化を確認することができる。
【００３１】
本発明に係る浴槽監視システムは、前記報知装置は、音声出力部を備え、前記報知部は、前記温度情報に基づいて前記音声出力部から通知音又は警告音を出力するように構成してあることを特徴とする。
【００３２】
本発明にあっては、報知装置は、音声出力部（例えば、スピーカなど）を備え、報知部は、温度情報に基づいて音声出力部から通知音又は警告音を出力する。これにより、例えば、リビングにあるモニタのスピーカで浴室に入る前に浴槽内の湯温又は湯温の変化を確認することができる。
【発明の効果】
【００３３】
本発明によれば、浴室が暗い場合であっても浴槽内の湯温を容易に確認することができる。また、浴室に入らなくても、例えば、浴室のドアを通じて浴槽内の湯温を容易に確認することができる。
【図面の簡単な説明】
【００３４】
【図１】実施の形態１の風呂蓋の設置例を示す模式図である。
【図２】実施の形態１の風呂蓋の構成の一例を示す模式図である。
【図３】実施の形態１の風呂蓋の第１例としての制御回路の構成を示すブロック図である。
【図４】実施の形態１の風呂蓋の動作の第１例を示す説明図である。
【図５】実施の形態１の風呂蓋の第２例としての制御回路の構成を示すブロック図である。
【図６】実施の形態１の風呂蓋の動作の第２例を示す説明図である。
【図７】実施の形態１の風呂蓋の構成の他の例を示す模式図である。
【図８】実施の形態１の風呂蓋の動作の第３例を示す説明図である。
【図９】実施の形態１の風呂蓋の構成の他の例を示す模式図である。
【図１０】発光部の構成の一例を示す回路図である。
【図１１】実施の形態２の浴槽監視システムの構成の一例を示すブロック図である。
【発明を実施するための形態】
【００３５】
（実施の形態１）
以下、本発明をその実施の形態を示す図面に基づいて説明する。図１は実施の形態１の風呂蓋１０の設置例を示す模式図であり、図２は実施の形態１の風呂蓋１０の構成の一例を示す模式図であり、図３は実施の形態１の風呂蓋１０の第１例としての制御回路１３の構成を示すブロック図である。図１に示すように、風呂蓋１０は、例えば、矩形状の板状をなす蓋体１０３を有する。蓋体１０３は、例えば、発泡樹脂製であり、保温性に優れ、抗菌処理が施してあり、折り畳みタイプ、あるいはシャッタータイプなどがある。
【００３６】
風呂蓋１０（蓋体１０３）は、表面１０１及び裏面１０２を有し、浴槽５０の上面に風呂蓋１０を置いた状態で表面１０１は表側（浴室側）となり、裏面１０２は裏側（浴槽側）となる。
【００３７】
図２に示すように、風呂蓋１０は、電源部としてのゼーベック素子１１、発光部としてのＬＥＤ１２、制御部としての制御回路１３、温度検出部としての温度センサ１４などを備える。
【００３８】
ゼーベック素子１１は、いわゆる熱電変換素子であり、熱を電力に変換することができる。ゼーベク素子１１は、２種類の金属又は半導体による電極１１１、１１２を備え、電極１１１、１１２間の温度差に応じた電圧（電力）を出力する。図２の例では、低温側の電極１１１を蓋体１０３の表側に設け、高温側の電極１１２を蓋体１０３の裏側に設けることにより、浴槽５０内の温度と浴室の温度との温度差により電圧（電力）を出力することができる。ゼーベック素子１１は、電圧（電力）をＬＥＤ１２、制御回路１３などへ出力する。なお、電源部は、ゼーベック素子１１に限定されるものではなく、乾電池、二次電池などを用いることもできる。
【００３９】
ＬＥＤ１２は、例えば、白色ＬＥＤチップを備え、ゼーベック素子１１からの電力により、風呂蓋１０の表面１０１から白色光を放出することができる。ＬＥＤ１２は、風呂蓋１０の表面１０１の略中央部に設けることができる。風呂蓋１０のいずれかの四隅近傍に設けた場合、風呂蓋１０を浴槽５０に置いたときの風呂蓋１０の向きによっては、浴室のドアを介して浴室外からのＬＥＤ１２の視認性が悪くなる場合がある。風呂蓋１０の表面１０１の略中央部にＬＥＤ１２を設けることにより、浴槽５０に置いたときの風呂蓋１０の向きによらず略同等の視認性を得ることができる。
【００４０】
なお、ＬＥＤ１２は、白色ＬＥＤチップを備えるものに限定されない。例えば、ＬＥＤ１２は、白色ＬＥＤチップに加えて、又は白色ＬＥＤチップに代えて、他の発光色（例えば、赤色、青色、緑色など）のＬＥＤチップを備えることもできる。また、発光部は、ＬＥＤ１２に限定されるものではなく、有機ＥＬなどの面発光素子を用いることもできる。面発光素子を用いる場合には、風呂蓋１０の表面１０１の略全面に発光素子を設けてもよく、あるいは表面１０１の一部に設けてもよい。
【００４１】
温度センサ１４は、例えば、赤外線温度センサであり、風呂蓋１０の裏面１０２に設けてある。すなわち、温度センサ１４は、浴槽５０を風呂蓋１０で蓋をした状態で、浴槽５０内の湯（又は水）の温度（湯温）を検出する。温度センサ１４は、検出した湯温を制御回路１３へ出力する。
【００４２】
制御回路１３は、温度センサ１４で検出した温度に応じてＬＥＤ１２の発光状態を制御する。
【００４３】
制御回路１３は、風呂蓋１０の表面１０１に設けられたタッチパネル１３１を備える。タッチパネル１３１は、例えば、ユーザが最適と考える湯温の設定温度又は設定範囲を設定することができる。設定温度又は設定範囲は、適宜設定することができるが、例えば、３８℃から４６℃の間の任意の温度値又は温度範囲を設定することができる。制御回路１３は、ゼーベック素子１１からの電力により動作することができるが、風呂蓋１０の表面１０１に所要寸法の太陽電池を設け、当該太陽電池で発生させた電力をタッチパネル１３１へ供給してもよい。これにより、浴槽５０に湯水が溜まっていない場合でも、タッチパネル１３１を操作することができる。
【００４４】
図３に示すように、制御回路１３は、ＦＥＴ等のスイッチング素子１３２、タッチパネル１３１で設定された設定温度を記憶する設定温度記憶部１３３、比較部１３４、ドライブ回路１３５などを備える。
【００４５】
比較部１３４は、温度センサ１４で検出した温度と設定温度記憶部１３３に記憶した設定温度又は設定温度範囲とを比較し、比較結果（例えば、検出した温度が設定温度であるか否か又は設定温度範囲内であるか否か）をドライブ回路１３５へ出力する。
【００４６】
ドライブ回路１３５は、検出した温度が設定温度（設定値）又は設定温度範囲内であれば、スイッチング素子１３２をオンにする信号をスイッチング素子１３２へ出力し、検出した温度が設定温度又は設定温度範囲外であれば、スイッチング素子１３２を所定の間隔（例えば、０．２秒〜０．５秒間隔など）でオン／オフする信号をスイッチング素子１３２へ出力する。
【００４７】
図４は実施の形態１の風呂蓋１０の動作の第１例を示す説明図である。図４Ａは、浴槽５０内の湯（水）を焚く場合を示し、図４Ｂは焚いた湯の温度が冷めていく場合を示し、図３に例示した構成を用いた場合の動作を示す。図４Ａ、図４Ｂに示すように、浴槽５０内の湯（水）の温度が設定温度（設定温度範囲）を下回るときは、制御回路１３はＬＥＤ１２を点滅させる。これにより、浴槽５０内の湯温が未だ設定温度に達していないこと、あるいは浴槽５０内の湯が冷めてしまったことを容易に認識することができる。
【００４８】
次に、浴槽５０内の湯（水）の温度が設定温度（設定温度範囲）内であるときは、制御回路１３はＬＥＤ１２を連続点灯させる。これにより、浴槽５０内の湯温が設定温度になっていることを容易に認識することができる。
【００４９】
さらに、浴槽５０内の湯（水）の温度が設定温度（設定温度範囲）を超えたときは、制御回路１３はＬＥＤ１２を点滅させる。これにより、浴槽５０内の湯温が設定温度を超えていることを容易に認識することができる。なお、ＬＥＤ１２を点滅させる場合に、設定温度（設定温度範囲）を下回るか、あるいは超えるかに応じて点滅の時間間隔を変えることもできる。例えば、検出した温度が設定温度（設定温度範囲）を下回る場合は長い時間間隔でＬＥＤ１２を点滅させ、検出した温度が設定温度（設定温度範囲）を超える場合は短い時間間隔でＬＥＤ１２を点滅させることができる。これにより、湯温が低すぎるのか、あるいは高すぎるのかを容易に判別することができる。
【００５０】
図５は実施の形態１の風呂蓋１０の第２例としての制御回路１６の構成を示すブロック図である。図５の例では、図３の例と異なり、ＬＥＤ１２に代えて、ＬＥＤ１２１、１２２、１２３を備える。
【００５１】
ＬＥＤ１２１は、ＬＥＤ１２と同様に白色ＬＥＤチップを備える。ＬＥＤ１２２は、赤色ＬＥＤチップを備え、ＬＥＤ１２３は、青色ＬＥＤチップを備える。なお、ＬＥＤの発光色は、これらに限定されるものではなく、他の発光色のＬＥＤチップを備えることもできる。また、ＬＥＤの数も３つに限定されるものではなく、２つでもよく、４つ以上でもよい。
【００５２】
設定温度記憶部１６５、比較部１６６の構成は、図３の設定温度記憶部１３３、比較部１３４の構成と同様であるので説明は省略する。また、スイッチング素子１６１、１６２、１６３の構成も図３のスイッチング素子１３２の構成と同様であるので説明は省略する。
【００５３】
ドライブ回路１６７は、検出した温度が設定温度（設定値）を下回る場合又は設定温度範囲を下回る場合、スイッチング素子１６１をオンにする信号をスイッチング素子１６１へ出力するとともに、スイッチング素子１６２、１６３をオフにする信号をスイッチング素子１６２、１６３へ出力する。これにより、青色のＬＥＤ１２３のみが点灯する。なお、この場合、ＬＥＤ１２３を点滅させてもよい。
【００５４】
ドライブ回路１６７は、検出した温度が設定温度（設定値）である場合又は設定温度範囲内である場合、スイッチング素子１６３をオンにする信号をスイッチング素子１６３へ出力するとともに、スイッチング素子１６１、１６２をオフにする信号をスイッチング素子１６１、１６２へ出力する。これにより、白色のＬＥＤ１２１のみが点灯する。
【００５５】
ドライブ回路１６７は、検出した温度が設定温度（設定値）を超える場合又は設定温度範囲を超える場合、スイッチング素子１６２をオンにする信号をスイッチング素子１６２へ出力するとともに、スイッチング素子１６１、１６３をオフにする信号をスイッチング素子１６１、１６３へ出力する。これにより、赤色のＬＥＤ１２２のみが点灯する。なお、この場合、ＬＥＤ１２２を点滅させてもよい。
【００５６】
図６は実施の形態１の風呂蓋１０の動作の第２例を示す説明図である。図６Ａは、浴槽５０内の湯（水）を焚く場合を示し、図６Ｂは焚いた湯の温度が冷めていく場合を示し、図５に例示した構成を用いた場合の動作を示す。図６Ａ、図６Ｂに示すように、浴槽５０内の湯（水）の温度が設定温度（設定温度範囲）を下回るときは、制御回路１６は青色のＬＥＤ１２３を点灯させる。これにより、浴槽５０内の湯温が未だ設定温度に達していないこと、あるいは浴槽５０内の湯が冷めてしまったことを容易に認識することができる。
【００５７】
次に、浴槽５０内の湯（水）の温度が設定温度（設定温度範囲）内であるときは、制御回路１３は白色のＬＥＤ１２１を点灯させる。これにより、浴槽５０内の湯温が設定温度になっていることを容易に認識することができる。
【００５８】
さらに、浴槽５０内の湯（水）の温度が設定温度（設定温度範囲）を超えたときは、制御回路１３は赤色のＬＥＤ１２２を点灯させる。これにより、浴槽５０内の湯温が設定温度を超えていることを容易に認識することができる。
【００５９】
上述のとおり、本実施の形態にあっては、発光部としてのＬＥＤ、ＬＥＤへ電力を供給する電源部としてのゼーベック素子を備え、ＬＥＤは浴槽内の温度（湯温）に応じて発光することができるので、視認性に優れ、浴室が暗い場合であっても浴槽内の湯温を容易に確認することができる。また、ＬＥＤの発光により湯温を知らせることができるので、風呂蓋をあけることなく、あるいは浴室に入らなくても、例えば、浴室のドアを通じて浴槽内の湯温を容易に確認することができる。
【００６０】
また、本実施の形態の風呂蓋は、ＬＥＤ、電源部、温度センサ等を備えるので、既存の浴槽であっても、風呂蓋を本実施の形態の風呂蓋に交換するだけで、浴槽などの大規模な工事を行うことなく、浴槽内の温度を容易にユーザへ知らせることができる。また、風呂蓋のみで実現することができるので、浴室又は浴槽などの特別な工事が不要であり、様々な既存の浴室又は浴槽に適用することができる。また、風呂蓋を発光させることで、浴槽の一部を発光させる場合よりも視覚的に訴える効果が高く、風呂蓋を開けることなく一目で浴槽内の温度を判別することが可能となる。
【００６１】
また、本実施の形態の風呂蓋は、浴槽内の温度を検出する温度センサと、温度センサで検出した温度に応じてＬＥＤの発光状態を制御する制御回路とを備えることにより、浴槽内の湯温又は湯温の変化を発光状態により正確に判別することができる。また、湯温を確認するために風呂蓋をあける必要もない。
【００６２】
また、本実施の形態の風呂蓋は、温度の設定値又は設定範囲を記憶する設定温度記憶部を備え、制御回路は、検出した温度が設定値又は設定範囲内であるか否かに応じてＬＥＤが異なる発光状態で発光すべく制御する。異なる発光状態とは、連続点灯又は点滅すること、調光すること、又は調色すること等である。設定値又は設定範囲は、適宜設定することができ、例えば、３８℃から４６℃の間の任意の温度又は温度範囲とすることができる。制御回路は、例えば、検出した浴槽内の湯温が設定値又は設定範囲内であれば、ＬＥＤを点灯させ、検出した湯温が設定値又は設定範囲外であれば、ＬＥＤを点滅させる。これにより、浴槽内の湯温が上昇し過ぎたか、冷めすぎたかを容易に判別することができる。
【００６３】
あるいは、制御回路は、例えば、検出した浴槽内の湯温が設定値又は設定範囲内であれば、ＬＥＤを白色点灯させ、検出した湯温が設定値又は設定範囲を超えた場合、ＬＥＤを赤色点灯させ、検出した湯温が設定値又は設定範囲を下回った場合、ＬＥＤを青色点灯させる。これにより、浴槽内の湯温が上昇し過ぎたか、冷めすぎたかを容易に判別することができる。
【００６４】
また、制御回路は、ＬＥＤの調光又は点滅を制御する。ＬＥＤの調光を行う場合には、例えば、スイッチング素子をＰＷＭ制御することによりＬＥＤに流れる電流値を制御してＬＥＤの明るさを調整することができる。この場合、ＰＷＭの比率（デューティ比）は、設定温度と温度センサで検出した温度とを比較した比較結果に応じて設定すればよい。これにより、ＬＥＤの明るさ、あるいは点灯か点滅かで浴槽内の湯温又は湯温の変化を正確に判別することができる。また、制御回路は、ＬＥＤの調色を制御する。これにより、ＬＥＤの発光色で浴槽内の湯温又は湯温の変化を正確に判別することができる。
【００６５】
また、本実施の形態では、蓋体の表裏面の温度差に応じて電力を供給するゼーベック素子を備える。すなわち、ゼーベック素子が検出する高温側を浴槽側、低温側を浴室側とすることにより、浴槽内の湯温を利用してＬＥＤを発光させることができるので、乾電池又は二次電池が不要であり、また、外部からの電力供給も不要であり、風呂蓋単体でＬＥＤの動作（発光）を実現することができる。
【００６６】
また、本実施の形態では、発光部としてＬＥＤを備えることにより、低消費電力で高輝度の発光部を実現することができ、視認性を向上させることができる。また、ＬＥＤに流れる電流を制御するだけで、調光、調色などの発光状態の制御を容易に行うことができる。
【００６７】
図７は実施の形態１の風呂蓋１０の構成の他の例を示す模式図である。図７の例では温度センサ１５を風呂蓋１０の表面１０１にも設けてある。温度センサ１５の構成は、温度センサ１４と同様であるので説明は省略する。
【００６８】
図７の例では、温度センサ１４、１５をそれぞれ風呂蓋１０（蓋体１０３）の裏面１０２と表面１０１に設けてあり、浴槽内の湯温（浴槽の温度）と浴室の温度（浴室の雰囲気温度）とを検出し、検出した温度（温度情報）を制御回路１３へ出力する。
【００６９】
制御回路１３は、温度センサ１４、１５から出力された温度に基づいて、風呂蓋１０の表側及び裏側の温度差を検出することができる。制御回路１３は、検出した温度差が所定値を超えた場合、その旨を通知すべくＬＥＤ１２の発光状態を制御する。
【００７０】
図８は実施の形態１の風呂蓋の動作の第３例を示す説明図である。図８の例は、図７に例示した構成を用いた場合の動作例を示す。図８に示すように、第１例の発光状態は、浴室と浴槽との温度差が所定値（例えば、１０℃）以下であれば、ＬＥＤ１２を連続点灯(白色点灯)させ、温度差が所定値を超えた場合には、ＬＥＤ１２を点滅(白色点滅)させて浴室内の温度と湯温との温度差が大きい旨の注意を喚起する。
【００７１】
また、第２例の発光状態のように、浴室と浴槽との温度差が所定値（例えば、１０℃）以下であれば、ＬＥＤ１２を連続点灯(白色点灯)させ、温度差が所定値を超えた場合には、赤色のＬＥＤを連続点灯（点滅でもよい）させて浴室内の温度と湯温との温度差が大きい旨の注意を喚起する。なお、ＬＥＤの発光状態は、図８の例に限定されるものではなく、浴室と浴槽との温度差が所定値以下であるか、所定値を超えるかに応じて、調光状態を変化させてもよく、他の発光色を用いて調色してもよい。なお、ＬＥＤの調光を行う場合には、例えば、スイッチング素子をＰＷＭ制御することによりＬＥＤに流れる電流値を制御してＬＥＤの明るさを調整することができる。この場合、ＰＷＭの比率（デューティ比）は、設定温度と温度センサで検出した温度とを比較した比較結果に応じて設定すればよい。
【００７２】
これにより、特に冬場などに浴室が寒い状態になっているときに、浴室に入ることで急激な温度変化により体が受ける影響（例えば、ヒートショック）の可能性を未然に通知してヒートショックの発生を防止することができる。
【００７３】
図９は実施の形態１の風呂蓋１０の構成の他の例を示す模式図であり、図１０は発光部１８の構成の一例を示す回路図である。図９に示すように、風呂蓋１０は、ゼーベック素子１１、発光部１８などを備える。なお、図２に例示したＬＥＤ１２、制御回路１３、温度センサ１４などを具備してもよい。
【００７４】
ゼーベック素子１１は、高温側（浴槽側）の電極１１２と低温側（浴室側）の電極１１１との温度差に応じた電圧を発光部１８へ出力する。すなわち、ゼーベック素子１１は、浴槽内の湯温と浴室内の温度（浴室の雰囲気温度）との温度差が大きいほど高い（大きい）電圧を出力する。
【００７５】
図１０に示すように、発光部１８は、直列接続した２つの赤色ＬＥＤ１８１に定電流ダイオード１８３を接続した回路と、１つの緑色ＬＥＤ１８２に定電流ダイオード１８３を接続した回路とを並列に接続した構成を有する。赤色ＬＥＤ１８１の順方向電圧は、例えば、２．２Ｖ程度であり、赤色ＬＥＤ１８１が２つ直列接続されているので、赤色ＬＥＤ１８１の合計の順方向電圧は、４．４Ｖ程度となる。緑色ＬＥＤ１８２の順方向電圧は、例えば、３．３Ｖ程度である。
【００７６】
ゼーベック素子１１が出力する電圧が低い場合（すなわち、浴槽内の湯温と浴室内の温度との温度差が小さい場合）、緑色ＬＥＤ１８２に電流が流れ、発光部１８は、緑色に発光する。ゼーベック素子１１が出力する電圧が高くなった場合（すなわち、浴槽内の湯温と浴室内の温度との温度差が大きくなった場合）、赤色ＬＥＤ１８１に電流が流れ、発光部１８は、赤色に発光する。この場合、緑色ＬＥＤ１８２と赤色ＬＥＤ１８１の両方が点灯するが、赤色ＬＥＤ１８１に流れる電流が多くなるように定電流ダイオード１８３を選定することで、赤色の発光強度を大きくすることができる。なお、定電流ダイオード１８３に代えて抵抗素子を用いてもよい。
【００７７】
これにより、特に冬場などに浴室が寒い状態になっているときに、浴室に入ることで急激な温度変化により体が受ける影響（例えば、ヒートショック）の可能性を未然に通知してヒートショックの発生を防止することができる。
【００７８】
（実施の形態２）
図１１は実施の形態２の浴槽監視システム１００の構成の一例を示すブロック図である。浴槽監視システム１００は、風呂蓋２０、報知装置としての照明装置６０などを備える。実施の形態２の浴槽監視システム１００は、風呂蓋２０で浴槽内の温度を検出し、検出した温度（温度情報）を報知装置としての照明装置６０へ送信する。照明装置６０は、受信した温度情報に基づいて、浴槽内の温度（湯温）等を報知する。
【００７９】
図１１に示すように、風呂蓋２０は、ゼーベック素子１１、温度センサ１４、送信部としての通信部２１などを備える。ゼーベック素子１１及び温度センサ１４の構成は、図２の例の構成を同様であるので説明を省略する。
【００８０】
通信部２１は、無線ＬＡＮ、ZigBee、Bluetooth（登録商標）、赤外線通信などの無線通信機能を備え、ゼーベック素子１１から供給される電力で動作することができる。通信部２１は、温度センサ１４で検出した温度（温度情報）を照明装置６０の通信部６１へ通信する。なお、通信部２１による温度情報の送信処理は、通信部２１による消費電力を抑制するために、適宜の間隔で行うようにすることもできる。なお、適宜の間隔は、浴槽内の湯温の時間的変化を考慮して決定すればよい。
【００８１】
照明装置６０は、受信部としての通信部６１、報知部としての制御部６２、光源６３などを備える。照明装置６０は、例えば、浴室に設置される照明装置である。
【００８２】
通信部６１は、風呂蓋２０の通信部２１が送信した温度情報を受信し、受信した温度情報を制御部６２へ出力する。
【００８３】
光源６３は、照明装置６０の照明用の光源であり、例えば、擬似白色のＬＥＤモジュール、電球色のＬＥＤモジュール、あるいはこれらを組み合わせたＬＥＤモジュールを用いることができる。
【００８４】
制御部６２は、通信部６１で受信した温度情報（浴槽内の湯温）に基づいて、光源６３の発光状態を制御する。発光状態の制御とは、浴槽内の湯温又は湯温の変化に応じて、例えば、光源６３の連続点灯、点滅、調光、調色灯を行うことである。
【００８５】
実施の形態２の浴室監視システムは、風呂蓋２０と、風呂蓋２０が用いられる浴槽の状態を報知する報知装置としての照明装置６０とを備え、風呂蓋２０は、浴槽内の温度を検出する温度センサ１４、及び温度センサ１４で検出した温度に関する温度情報を照明装置６０へ送信する通信部２１を備える。また、照明装置６０は、風呂蓋２０が送信した温度情報を受信する通信部６１、及び通信部６１で受信した温度情報に基づいて浴槽の状態を報知するための制御部６２を備える。これにより、風呂蓋をあけることなく浴槽内の湯温又は湯温の変化を判別することができる。また、風呂蓋２０には、湯温を通知又は報知するためのＬＥＤを具備せず、照明装置６０の光源６３が、照明とともに湯温を通知又は報知する機能を兼用するので、風呂蓋２０の消費電力を抑制することができる。
【００８６】
また、報知装置が光源６３を有する照明装置６０であるので、照明装置６０が浴室に設置されている場合、温度情報に基づいて浴室内の照明の発光状態を変化させることにより、浴槽内の湯温又は湯温の変化を容易に確認することができる。また、光源６３の発光により湯温を知らせることができるので、浴室に入らなくても、例えば、浴室のドアを通じて浴槽内の湯温を容易に確認することができる。
【００８７】
図１１の例では、報知装置として照明装置６０を用いる例であったが、これに限定されるものではない。例えば、報知装置として、壁などに設置され、発光部（光源）を有する照明装置用のスイッチであってもよい。この場合、照明装置用のスイッチは、照明装置６０と同様に、通信部６１、制御部６２を備えることができる。これにより、浴室の外にある照明装置用のスイッチを発光させることにより、浴室に入る前に浴槽内の湯温又は湯温の変化を確認することができる。
【００８８】
また、報知装置として、文字又は画像を表示する表示部を備えた表示装置であってもよい。この場合、表示装置は、照明装置６０と同様に、通信部６１、制御部６２を備えることができる。これにより、例えば、リビングにあるモニタ（表示部）で浴室に入る前に浴槽内の湯温又は湯温の変化を確認することができる。
【００８９】
また、報知装置にスピーカなどの音声出力部（例えば、スピーカなど）を備えることもできる。この場合も、照明装置６０と同様に、通信部６１、制御部６２を備えることができる。これにより、温度情報に基づいて音声出力部から通知音又は警告音を出力することができ、例えば、リビングにあるモニタのスピーカで浴室に入る前に浴槽内の湯温又は湯温の変化を確認することができる。浴槽内の湯温又は湯温の変化を表示させるとともに音声で通知又は警告してもよく、あるいは表示のみ、あるいは音声のみで通知又は警告してもよい。
【００９０】
上述の実施の形態１、２において、浴室の近くに人感センサを備え、人が浴室に近づいてきたことを検知した場合に、発光部の発光状態の制御を行うようにしてもよい。これにより、風呂蓋の消費電力を抑制することができる。
【００９１】
上述の実施の形態によれば、浴槽内の温度を風呂蓋、あるいは照明装置などによりユーザへ通知することができるので、浴室のリフォームなどの大規模な工事が不要である。例えば、既存の浴槽設備に対して、浴槽（風呂釜）などに温度を表示する機器を設置する場合には、浴槽の工事が必要となるが、本実施の形態であれば、既存の設備に対しても、風呂蓋の交換、あるいは照明装置などの交換だけで容易に実現することができる。
【符号の説明】
【００９２】
１０、２０  風呂蓋
１０１  表面
１０２  裏面
１０３  蓋体
１１  ゼーベック素子
１１１、１１２  電極
１２、１２１、１２２、１２３、１８１、１８２  ＬＥＤ
１３、１６  制御回路
１３１  タッチパネル
１３２、１６１、１６２、１６３  スイッチング素子
１３３、１６５  設定温度記憶部
１３４、１６６  比較部
１３５、１６７  ドライブ回路
１４、１５  温度センサ
１８  発光部
２１、６１  通信部
５０  浴槽
６０  照明装置
６２  制御部
６３  光源
【図１】
2012239828.tif 000003
【図２】
2012239828.tif 000004
【図３】
2012239828.tif 000005
【図４】
2012239828.tif 000006
【図５】
2012239828.tif 000007
【図６】
2012239828.tif 000008
【図７】
2012239828.tif 000009
【図８】
2012239828.tif 000010
【図９】
2012239828.tif 000011
【図１０】
2012239828.tif 000012
【図１１】
2012239828.tif 000013